(57)【特許請求の範囲】
【請求項１】
移動体終端の通話セットアップの性能を向上させるための方法において、
ソースセルからターゲットセルへの無線アクセス技術間（ＩＲＡＴ）の移行をトリガすることと、
前記ソースセル中での複数のページング機会のスケジューリングされた時間に関する情報を電子デバイスのメモリ中に記憶することと、
前記ターゲットセルへの移行の間、かつ、前記ターゲットセル中の少なくとも１つのページングチャネルの監視を開始する前の、前記スケジューリングされた時間において、前記ソースセル中の少なくとも１つのページングチャネルをチェックすることとを含む方法。
【請求項２】
無線アクセス技術間の移行の成功を可能にするために、前記ターゲットセルのシステム情報を収集することをさらに含む請求項１記載の方法。
【請求項３】
前記ターゲットセルの前記システム情報が収集されていることを決定することをさらに含む請求項２記載の方法。
【請求項４】
前記ターゲットセルの前記システム情報が収集されていることが決定されたときに、ＧＳＭ、ＧＰＲＳ、ＵＭＴＳ、またはＬＴＥでのロケーションエリアの更新；ＧＰＲＳ、ＵＭＴＳ、またはＬＴＥでのルーティングエリアの更新；ＵＭＴＳでのＵＴＲＡＮルーティングエリア；または、ＬＴＥでの追跡エリア、のうちの１つ以上を含む、前記ターゲットセルにおけるモビリティ情報の更新を実行することをさらに含む請求項３記載の方法。
【請求項５】
前記ターゲットセル中の前記少なくとも１つのページングチャネルの監視を開始することをさらに含む請求項４記載の方法。
【請求項６】
前記スケジューリングされた時間において、前記ソースセル中のページについてチェックすることをさらに含む請求項１記載の方法。
【請求項７】
前記ソースセル中の前記ページに答えることをさらに含む請求項６記載の方法。
【請求項８】
前記ソースセルの品質がしきい値よりも上であることを決定することをさらに含む請求項６記載の方法。
【請求項９】
前記ソースセルの品質が前記しきい値よりも上であることが決定されたときに、前記ソースセル中の前記ページに答えることをさらに含む請求項８記載の方法。
【請求項１０】
前記ソースセルの品質が前記しきい値よりも上でないことが決定されたときに、前記ターゲットセルにおけるモビリティ情報の更新を実行することをさらに含む請求項８記載の方法。
【請求項１１】
前記ターゲットセル中の前記ページに答えることをさらに含む請求項１０記載の方法。
【請求項１２】
前記しきい値は、受信信号レベル、受信信号対ノイズ比、受信干渉電力、総受信電力、パス損失、ビットエラーレート、フレームエラーレート、またはパケット損失レート、のうちの１つの値である請求項８記載の方法。
【請求項１３】
ターゲットセル信号の品質を、ソースセル信号の品質と比較して、前記無線アクセス技術間（ＩＲＡＴ)の移行をトリガすることを決定することをさらに含む請求項１記載の方法。
【請求項１４】
前記ターゲットセル信号の品質が、前記ソースセル信号の品質よりも高い請求項１３記載の方法。
【請求項１５】
前記ターゲットセル信号の品質が、少なくとも５秒の連続的な時間間隔にわたって、前記ソースセルの信号品質よりも高い請求項１４記載の方法。
【請求項１６】
前記ソースセルは、２Ｇカバレッジエリア内にあり、前記ターゲットセルは、３Ｇカバレッジエリア内にある請求項１記載の方法。
【請求項１７】
プロセッサとメモリとを具備するユーザ機器において、
前記メモリは、
ソースセルからターゲットセルへの無線アクセス技術間（ＩＲＡＴ）の移行をトリガすることと、
前記ソースセル中での複数のページング機会のスケジューリングされた時間に関する情報を電子デバイスのメモリ中に記憶することと、
前記ターゲットセルへの移行の間、かつ、前記ターゲットセル中の少なくとも１つのページングチャネルの監視を開始する前の、前記スケジューリングされた時間において、前記ソースセル中の少なくとも１つのページングチャネルをチェックすることとを実行する前記プロセッサによって実行可能なプログラムコードを含むユーザ機器。
【請求項１８】
前記メモリは、無線アクセス技術間の移行の成功を可能にするために、前記ターゲットセルのシステム情報を収集するためのプログラムコードをさらに含む請求項１７記載のユーザ機器。
【請求項１９】
前記メモリは、前記ターゲットセルの前記システム情報が収集されていることを決定するためのプログラムコードをさらに含む請求項１８記載のユーザ機器。
【請求項２０】
前記メモリは、前記ターゲットセルの前記システム情報が収集されていることが決定されたときに、ＧＳＭ、ＧＰＲＳ、ＵＭＴＳ、またはＬＴＥでのロケーションエリアの更新；ＧＰＲＳ、ＵＭＴＳ、またはＬＴＥでのルーティングエリアの更新；ＵＭＴＳでのＵＴＲＡＮルーティングエリア；または、ＬＴＥでの追跡エリア、のうちの１つ以上を含む、前記ターゲットセルにおけるモビリティ情報の更新を実行するためのプログラムコードをさらに含む請求項１９記載のユーザ機器。
【請求項２１】
前記メモリは、前記ターゲットセル中の前記少なくとも１つのページングチャネルの監視を開始するためのプログラムコードをさらに含む請求項２０記載のユーザ機器。
【請求項２２】
前記メモリは、前記スケジューリングされた時間において、前記ソースセル中のページについてチェックするためのプログラムコードをさらに含む請求項１７記載のユーザ機器。
【請求項２３】
前記メモリは、前記ソースセル中の前記ページに答えるためのプログラムコードをさらに含む請求項２２記載のユーザ機器。
【請求項２４】
前記メモリは、前記ソースセルの品質がしきい値よりも上であることを決定するためのプログラムコードをさらに含む請求項２２記載のユーザ機器。
【請求項２５】
前記メモリは、前記ソースセルの品質が前記しきい値よりも上であることが決定されたときに、前記ソースセル中の前記ページに答えるためのプログラムコードさらに含む請求項２４記載のユーザ機器。
【請求項２６】
前記メモリは、前記ソースセルの品質が前記しきい値よりも上でないことが決定されたときに、前記ターゲットセルにおけるモビリティ情報の更新を実行するためのプログラムコードをさらに含む請求項２４記載のユーザ機器。
【請求項２７】
前記メモリは、前記ターゲットセル中の前記ページに答えるためのプログラムコードをさらに含む請求項２６記載のユーザ機器。
【請求項２８】
前記しきい値は、受信信号レベル、受信信号対ノイズ比、受信干渉電力、総受信電力、パス損失、ビットエラーレート、フレームエラーレート、またはパケット損失レート、のうちの１つの値である請求項２４記載のユーザ機器。
【請求項２９】
前記メモリは、ターゲットセル信号の品質を、ソースセル信号の品質と比較して、前記無線アクセス技術間（ＩＲＡＴ)の移行をトリガすることを決定するためのプログラムコードをさらに含む請求項１７記載のユーザ機器。
【請求項３０】
前記ソースセルは、２Ｇカバレッジエリア内にあり、前記ターゲットセルは、３Ｇカバレッジエリア内にある請求項１７記載のユーザ機器。
【請求項３１】
前記ソースセルは、ＧＳＭカバレッジエリア内にあり、前記ターゲットセルは、ＬＴＥカバレッジエリア内にある請求項１７記載のユーザ機器。
【請求項３２】
前記ソースセルは、ＧＳＭ／ＧＰＲＳ／ＥＤＧＥカバレッジエリア内にあり、前記ターゲットセルは、ＵＭＴＳカバレッジエリア内にある請求項１７記載のユーザ機器。
【請求項３３】
移動体終端の通話セットアップの性能を向上させるワイヤレスデバイスにおいて、
ソースセルからターゲットセルへの無線アクセス技術間（ＩＲＡＴ）の移行をトリガする手段と、
前記ソースセル中での複数のページング機会のスケジューリングされた時間に関する情報を電子デバイスのメモリ中に記憶する手段と、
前記ターゲットセルへの移行の間、かつ、前記ターゲットセル中の少なくとも１つのページングチャネルの監視を開始する前の、前記スケジューリングされた時間において、前記ソースセル中の少なくとも１つのページングチャネルをチェックする手段とを具備するワイヤレスデバイス。
【請求項３４】
無線アクセス技術間の移行の成功を可能にするために、前記ターゲットセルのシステム情報を収集する手段をさらに具備する請求項３３記載のワイヤレスデバイス。
【請求項３５】
前記ターゲットセルの前記システム情報が収集されていることを決定する手段をさらに具備する請求項３４記載のワイヤレスデバイス。
【請求項３６】
前記ターゲットセルの前記システム情報が収集されていることが決定されたときに、ＧＳＭ、ＧＰＲＳ、ＵＭＴＳ、またはＬＴＥでのロケーションエリアの更新；ＧＰＲＳ、ＵＭＴＳ、またはＬＴＥでのルーティングエリアの更新；ＵＭＴＳでのＵＴＲＡＮルーティングエリア；または、ＬＴＥでの追跡エリア、のうちの１つ以上を含む、前記ターゲットセルにおけるモビリティ情報の更新を実行する手段をさらに具備する請求項３５記載のワイヤレスデバイス。
【請求項３７】
前記ターゲットセル中の前記少なくとも１つのページングチャネルの監視を開始する手段をさらに具備する請求項３６記載のワイヤレスデバイス。
【請求項３８】
前記スケジューリングされた時間において、前記ソースセル中のページについてチェックする手段をさらに具備する請求項３３記載のワイヤレスデバイス。
【請求項３９】
前記ソースセル中の前記ページに答える手段をさらに具備する請求項３８記載のワイヤレスデバイス。
【請求項４０】
前記ソースセルの品質がしきい値よりも上であることを決定する手段をさらに具備する請求項３８記載のワイヤレスデバイス。
【請求項４１】
前記ソースセルの品質が前記しきい値よりも上であることが決定されたときに、前記ソースセル中の前記ページに答える手段をさらに具備する請求項４０記載のワイヤレスデバイス。
【請求項４２】
前記ソースセルの品質が前記しきい値よりも上でないことが決定されたときに、前記ターゲットセルにおけるモビリティ情報の更新を実行する手段をさらに具備する請求項４０記載のワイヤレスデバイス。
【請求項４３】
前記ターゲットセル中の前記ページに答える手段をさらに具備する請求項４２記載のワイヤレスデバイス。
【請求項４４】
前記しきい値は、受信信号レベル、受信信号対ノイズ比、受信干渉電力、総受信電力、パス損失、ビットエラーレート、フレームエラーレート、またはパケット損失レート、のうちの１つの値である請求項４０記載のワイヤレスデバイス。
【請求項４５】
ターゲットセル信号の品質を、ソースセル信号の品質と比較して、前記無線アクセス技術間（ＩＲＡＴ)の移行をトリガすることを決定する手段をさらに具備する請求項３３記載のワイヤレスデバイス。
【請求項４６】
前記ソースセルは、２Ｇカバレッジエリア内にあり、前記ターゲットセルは、３Ｇカバレッジエリア内にある請求項３３記載のワイヤレスデバイス。
【請求項４７】
前記ソースセルは、ＧＳＭカバレッジエリア内にあり、前記ターゲットセルは、ＬＴＥカバレッジエリア内にある請求項３３記載のワイヤレスデバイス。
【請求項４８】
前記ソースセルは、ＧＳＭ／ＧＰＲＳ／ＥＤＧＥカバレッジエリア内にあり、前記ターゲットセルは、ＵＭＴＳカバレッジエリア内にある請求項３３記載のワイヤレスデバイス。
【請求項４９】
コンピュータプログラムにおいて、
ソースセルからターゲットセルへの無線アクセス技術間（ＩＲＡＴ）の移行をトリガするようにコンピュータに実行させるためのプログラムコードと、
前記ソースセル中での複数のページング機会のスケジューリングされた時間に関する情報を電子デバイスのメモリ中に記憶するように前記コンピュータに実行させるためのプログラムコードと、
前記ターゲットセルへの移行の間、かつ、前記ターゲットセル中の少なくとも１つのページングチャネルの監視を開始する前の、前記スケジューリングされた時間において、前記ソースセル中の少なくとも１つのページングチャネルをチェックするように前記コンピュータに実行させるためのプログラムコードとを含むコンピュータプログラム。
【請求項５０】
無線アクセス技術間の移行の成功を可能にするために、前記ターゲットセルのシステム情報を収集するように前記コンピュータに実行させるためのプログラムコードをさらに含む請求項４９記載のコンピュータプログラム。
【請求項５１】
前記ターゲットセルの前記システム情報が収集されていることを決定するように前記コンピュータに実行させるためのプログラムコードをさらに含む請求項５０記載のコンピュータプログラム。
【請求項５２】
前記ターゲットセルの前記システム情報が収集されていることが決定されたときに、ＧＳＭ、ＧＰＲＳ、ＵＭＴＳ、またはＬＴＥでのロケーションエリアの更新；ＧＰＲＳ、ＵＭＴＳ、またはＬＴＥでのルーティングエリアの更新；ＵＭＴＳでのＵＴＲＡＮルーティングエリア；または、ＬＴＥでの追跡エリア、のうちの１つ以上を含む、前記ターゲットセルにおけるモビリティ情報の更新を行うように前記コンピュータに実行させるためのプログラムコードをさらに含む請求項５１記載のコンピュータプログラム。
【請求項５３】
前記ターゲットセル中の前記少なくとも１つのページングチャネルの監視を開始するように前記コンピュータに実行させるためのプログラムコードをさらに含む請求項５２記載のコンピュータプログラム。
【請求項５４】
前記スケジューリングされた時間において、前記ソースセル中のページについてチェックするように前記コンピュータに実行させるためのプログラムコードをさらに含む請求項４９記載のコンピュータプログラム。
【請求項５５】
前記ソースセル中の前記ページに答えるように前記コンピュータに実行させるためのプログラムコードをさらに含む請求項５４記載のコンピュータプログラム。
【請求項５６】
前記ソースセルの品質がしきい値よりも上であることを決定するように前記コンピュータに実行させるためのプログラムコードをさらに含む請求項５４記載のコンピュータプログラム。
【請求項５７】
前記ソースセルの品質が前記しきい値よりも上であることが決定されたときに、前記ソースセル中の前記ページに答えるように前記コンピュータに実行させるためのプログラムコードさらに含む請求項５６記載のコンピュータプログラム。
【請求項５８】
前記ソースセルの品質が前記しきい値よりも上でないことが決定されたときに、前記ターゲットセルにおけるモビリティ情報の更新を行うように前記コンピュータに実行させるためのプログラムコードをさらに含む請求項５６記載のコンピュータプログラム。
【請求項５９】
前記ターゲットセル中の前記ページに答えるように前記コンピュータに実行させるためのプログラムコードをさらに含む請求項５８記載のコンピュータプログラム。
【請求項６０】
ターゲットセル信号の品質を、ソースセル信号の品質と比較して、前記無線アクセス技術間（ＩＲＡＴ)の移行をトリガすることを決定するように前記コンピュータに実行させるためのプログラムコードをさらに含む請求項４９記載のコンピュータプログラム。
【請求項６１】
そこに記憶されているプログラムコードを含むコンピュータ読み取り可能記憶媒体において、
前記プログラムコードは、
ソースセルからターゲットセルへの無線アクセス技術間（ＩＲＡＴ）の移行をトリガするようにコンピュータに実行させるためのプログラムコードと、
前記ソースセル中での複数のページング機会のスケジューリングされた時間に関する情報を電子デバイスのメモリ中に記憶するように前記コンピュータに実行させるためのプログラムコードと、
前記ターゲットセルへの移行の間、かつ、前記ターゲットセル中の少なくとも１つのページングチャネルの監視を開始する前の、前記スケジューリングされた時間において、前記ソースセル中の少なくとも１つのページングチャネルをチェックするように前記コンピュータに実行させるためのプログラムコードとを含むコンピュータ読み取り可能記憶媒体。
【請求項６２】
無線アクセス技術間の移行の成功を可能にするために、前記ターゲットセルのシステム情報を収集するように前記コンピュータに実行させるためのプログラムコードをさらに含む請求項６１記載のコンピュータ読み取り可能記憶媒体。
【請求項６３】
前記ターゲットセルの前記システム情報が収集されていることを決定するように前記コンピュータに実行させるためのプログラムコードをさらに含む請求項６２記載のコンピュータ読み取り可能記憶媒体。
【請求項６４】
前記ターゲットセルの前記システム情報が収集されていることが決定されたときに、ＧＳＭ、ＧＰＲＳ、ＵＭＴＳ、またはＬＴＥでのロケーションエリアの更新；ＧＰＲＳ、ＵＭＴＳ、またはＬＴＥでのルーティングエリアの更新；ＵＭＴＳでのＵＴＲＡＮルーティングエリア；または、ＬＴＥでの追跡エリア、のうちの１つ以上を含む、前記ターゲットセルにおけるモビリティ情報の更新を行うように前記コンピュータに実行させるためのプログラムコードをさらに含む請求項６３記載のコンピュータ読み取り可能記憶媒体。
【請求項６５】
前記ターゲットセル中の前記少なくとも１つのページングチャネルの監視を開始するように前記コンピュータに実行させるためのプログラムコードをさらに含む請求項６４記載のコンピュータ読み取り可能記憶媒体。
【請求項６６】
前記スケジューリングされた時間において、前記ソースセル中のページについてチェックするように前記コンピュータに実行させるためのプログラムコードをさらに含む請求項６１記載のコンピュータ読み取り可能記憶媒体。
【請求項６７】
前記ソースセル中の前記ページに答えるように前記コンピュータに実行させるためのプログラムコードをさらに含む請求項６６記載のコンピュータ読み取り可能記憶媒体。
【請求項６８】
前記ソースセルの品質がしきい値よりも上であることを決定するように前記コンピュータに実行させるためのプログラムコードをさらに含む請求項６６記載のコンピュータ読み取り可能記憶媒体。
【請求項６９】
前記ソースセルの品質が前記しきい値よりも上であることが決定されたときに、前記ソースセル中の前記ページに答えるように前記コンピュータに実行させるためのプログラムコードさらに含む請求項６８記載のコンピュータ読み取り可能記憶媒体。
【請求項７０】
前記ソースセルの品質が前記しきい値よりも上でないことが決定されたときに、前記ターゲットセルにおけるモビリティ情報の更新を行うように前記コンピュータに実行させるためのプログラムコードをさらに含む請求項６８記載のコンピュータ読み取り可能記憶媒体。
【請求項７１】
前記ターゲットセル中の前記ページに答えるように前記コンピュータに実行させるためのプログラムコードをさらに含む請求項７０記載のコンピュータ読み取り可能記憶媒体。
【請求項７２】
ターゲットセル信号の品質を、ソースセル信号の品質と比較して、前記無線アクセス技術間（ＩＲＡＴ)の移行をトリガすることを決定するように前記コンピュータに実行させるためのプログラムコードをさらに含む請求項６１記載のコンピュータ読み取り可能記憶媒体。
【発明の詳細な説明】
【分野】
【０００１】
本開示は、一般的に、移動体終端の通話セットアップの性能を向上させるための装置および方法に関する。さらに詳細には、本開示は、ワイヤレスシステム間の移行の間の、移動体終端の通話セットアップの性能を向上させることに関する。
【背景】
【０００２】
移動体ユーザ機器（ＵＥ）は、一般的に、ワイヤレスシステムによるカバレッジの、ＵＥのモビリティおよび利用可能性に応じて、１つのワイヤレスシステムから別のワイヤレスシステムへ移行する。例えば、移行は、第２世代（２Ｇ）ワイヤレスシステムと第３世代（３Ｇ）ワイヤレスシステムとの間で、ロングタームエボリューション（ＬＴＥ）と３Ｇワイヤレスシステムとの間で、またはグローバルシステムフォーモバイル通信（ＧＳＭ）（登録商標）ワイヤレスシステムとＬＴＥとの間で行われることがある。１つの例を挙げると、２Ｇワイヤレスシステムは、一般的に、広範なカバレッジエリアにわたって、べーシックなデジタル音声サービスおよび低レートのデータサービスをユーザ機器（ＵＥ）に提供する。すなわち、２Ｇワイヤレスシステムは、一般的に、至る所に存在するカバレッジを有する。広範なカバレッジエリアは、複数のセルを使用して実現され、それぞれは、カバレッジエリア内の移動体であるＵＥと、ワイヤレス通信システムとの間でワイヤレスアクセス接続を提供するためのアクセスノード（例えば、基地局）を有する。ワイヤレス通信システムに複数のＵＥがアクセスすることができるように、ワイヤレスアクセス接続は、空間分割多元接続（ＳＤＭＡ）、周波数分割多元接続（ＦＤＭＡ）、時分割多元接続（ＴＤＭＡ)、コード分割多元接続（ＣＤＭＡ）、および／または、直交周波数分割多元接続（ＯＦＤＭＡ）を用いてもよい。１つの例では、２Ｇワイヤレスシステムは、グローバルシステムフォーモバイル通信（ＧＳＭ）／汎用パケット無線サービス（ＧＰＲＳ）／ＧＳＭエボリューション向けのエンハンスドデータレート（ＥＤＧＥ）に基づいている一方で、３Ｇワイヤレスシステムは、ワイドバンドコード分割多元アクセス（ＷＣＤＭＡ）に基づいている。
【０００３】
高レートのデータサービスや、インターネットプロトコル（ＩＰ）パケット転送サービスのような、エンハンスド通信サービスを移動体ＵＥに提供するために、多くのワイヤレス通信システムは、ワイヤレス通信システム自体のインフラストラクチャをアップグレードしている。これらのエンハンスド通信サービスは、一般的に、３Ｇワイヤレスシステムによって提供される。多くのケースでは、２Ｇワイヤレスシステムによって提供される広範なカバレッジエリアの一部分のみで、３Ｇワイヤレスシステムは実現される。すなわち、多くのケースでは、３Ｇワイヤレスシステムのカバレッジは、至る所に存在していない。３Ｇカバレッジエリアは、一般的に、都市エリアの中心部、飛行場、ショッピングセンター、ビジネス街等のような、人口密度の高いエリアにある。このケースでは、３Ｇカバレッジエリアは、より広範な２Ｇカバレッジエリア内のカバレッジの島のように見える。カバレッジエリアのこの多様性が、２Ｇカバレッジエリアと３Ｇカバレッジエリアとの間で移動体ＵＥのワイヤレスアクセス接続を移行する必要性を生じさせる。２Ｇカバレッジエリアと３Ｇカバレッジエリアとの間での移行の例をここで説明したが、任意のワイヤレスシステムによって用いられる任意の無線アクセス技術の任意のカバレッジエリア間で、ＵＥが移行することがある。この任意の無線アクセス技術は、ＵＭＴＳ（ユニバーサル移動体電気通信システム）、ＷＣＤＭＡ（ワイドバンドコード分割多元接続）、ＧＳＭ（グローバルシステムフォーモバイル通信）、ＧＳＭ／ＧＰＲＳ（汎用パケット無線サービス／ＥＤＧＥ（ＧＳＭエボリューション向けのエンハンスドデータレート）、ＬＴＥ（ロングタームエボリューション）、ＩＳ−９５（暫定標準規格９５）、ＣＤＭＡ２０００、ＥＶＤＯ（最適化された進化データ）、またはＵＭＢ（ウルトラモバイルブロードバンド）等を含むが、これらに限定されるものではない。
【概要】
【０００４】
ワイヤレスネットワーク間の移行の間の、通話セットアップの性能を向上させるための装置および方法を開示する。１つの態様にしたがった、移動体終端の通話セットアップの性能を向上させるための方法は、ソースセルからターゲットセルへの無線アクセス技術間（ＩＲＡＴ）の移行をトリガすることと；ソースセル中での複数のページング機会の決定論的なタイミングを記憶することと；ターゲットセルへの移行の間に、かつ、ターゲットセル中の少なくとも１つのページングチャネルの監視を開始する前に、決定論的なタイミングを使用して、ソースセル中の少なくとも１つのページングチャネルをチェックすることとを含む。
【０００５】
別の態様にしたがった、プロセッサとメモリとを具備するユーザ機器において、メモリは、ソースセルからターゲットセルへの無線アクセス技術間（ＩＲＡＴ）の移行をトリガすることと；ソースセル中での複数のページング機会の決定論的なタイミングを記憶することと；ターゲットセルへの移行の間に、かつ、ターゲットセル中の少なくとも１つのページングチャネルの監視を開始する前に、決定論的なタイミングを使用して、ソースセル中の少なくとも１つのページングチャネルをチェックすることとを実行するプロセッサによって実行可能なプログラムコードを含む。
【０００６】
別の態様にしたがった、移動体終端の通話セットアップの性能を向上させるワイヤレスデバイスは、ソースセルからターゲットセルへの無線アクセス技術間（ＩＲＡＴ）の移行をトリガする手段と；ソースセル中での複数のページング機会の決定論的なタイミングを記憶する手段と；ターゲットセルへの移行の間に、かつ、ターゲットセル中の少なくとも１つのページングチャネルの監視を開始する前に、決定論的なタイミングを使用して、ソースセル中の少なくとも１つのページングチャネルをチェックする手段とを具備する。
【０００７】
さらに別の態様にしたがった、コンピュータ読み取り可能媒体を具備するコンピュータプログラムプロダクトは、コンピュータ読み取り可能媒体は、ここに記憶されているプログラムコードを含み、プログラムコードは、ソースセルからターゲットセルへの無線アクセス技術間（ＩＲＡＴ）の移行をトリガするようにコンピュータに実行させるためのプログラムコードと；ソースセル中での複数のページング機会の決定論的なタイミングを記憶するようにコンピュータに実行させるためのプログラムコードと；ターゲットセルへの移行の間に、かつ、ターゲットセル中の少なくとも１つのページングチャネルの監視を開始する前に、決定論的なタイミングを使用して、ソースセル中の少なくとも１つのページングチャネルをチェックするようにコンピュータに実行させるためのプログラムコードとを含む。
【０００８】
本開示の利点は、１つのワイヤレスシステムから別のワイヤレスシステムに移行している間に、ページングの機会を逃すことを減少させること、または、ページングの機会を逃すことを防ぐことを含む。これにより、ユーザ経験が向上し、移動体終端の通話セットアップの成功率が上がる。
【０００９】
以下の詳細な説明から、他の態様が当業者に容易に明らかになるであろうことを理解すべきである。ここでは、例示によりさまざまな態様を示したり、記述したりしている。図面および詳細な説明は、限定としてではなく、本質的に例示であるとしてみなされるべきである。
【図面の簡単な説明】
【００１０】
【図１】図１は、例示的なワイヤレスシステムを図示しているブロック図である。
【図２】図２は、アクセスノードＡ1、Ａ2、Ａ3、Ａ4を有している１つのカバレッジエリアＡ内にあり、アクセスノードＢ1およびＢ2を有している別のカバレッジエリアＢの端に近づいているユーザ機器（ＵＥ）の例を示している。
【図３】図３は、ワイヤレスシステム間の移行の間の、移動体終端の通話セットアップの性能を向上させる例示的なフロー図を示している。
【図４】図４は、ワイヤレスシステム間の移行の間の、移動体終端の通話セットアップ性能を向上させるプロセスを実行するために、メモリと通信しているプロセッサを具備するデバイスの例を示している。
【図５】図５は、ワイヤレスシステム間の移行の間の、移動体終端の通話セットアップ性能を向上させるのに適しているデバイスの例を示している。
【詳細な説明】
【００１１】
添付した図面に関連して以下に示した詳細な説明は、本開示のさまざまな態様の説明として意図されており、本開示を実施できる態様のみを表すことを意図しているのではない。本開示中で記述したそれぞれの態様は、本開示の、単なる例または例示として提供されており、他の態様と比較して、好ましい、または、有利なものとして、必ずしも、解釈されるべきでない。詳細な説明は、本開示の完全な理解を提供する目的で、特定の詳細な説明を含んでいる。しかしながら、これらの特定の詳細な説明がなくても、本開示を実施できることは、当業者に明らかになるであろう。いくつかの例では、本開示の概念が不明瞭になることを避けるために、周知の構造およびデバイスをブロック図の形態で示している。頭字語および他の記述用語は、単に、便宜性のために、そして明確にするために使用したものであり、本開示の範囲を限定することを意図しているわけではない。
【００１２】
説明の簡潔さの目的のために、方法論を一連の動作として示したり記述したりしたが、１つ以上の態様にしたがったいくつかの動作は、ここで示したり記述したりした順序とは異なる順序で、および／または、他の動作と同時に行われることがあるので、方法論は、動作の順序によって限定されないことを理解および正しく認識すべきである。例えば、状態図のような、一連の相関状態またはイベントとして方法論を代替的に表すことができることを、当業者は理解および正しく認識するだろう。さらに、１つ以上の態様にしたがって方法論を実現するために、すべての図示した動作が必要なわけではない。
【００１３】
図１は、例示的なアクセスノード／ＵＥシステム１００を図示しているブロック図である。図１に図示した例示的なアクセスノード／ＵＥシステム１００は、ＦＤＭＡ環境、ＯＦＤＭＡ環境、ＣＤＭＡ環境、ＷＣＤＭＡ環境、ＴＤＭＡ環境、ＳＤＭＡ環境、または他の何らかの適切なワイヤレス環境で実現され得ることを、当業者は理解するだろう。
【００１４】
アクセスノード／ＵＥシステム１００は、（基地局として知られている）アクセスノード１０１と、（ワイヤレス通信デバイスとして知られている）ユーザ機器、すなわちＵＥ２０１を備えている。ダウンリンクレグでは、（基地局として知られている）アクセスノード１０１は、送信（ＴＸ）データプロセッサＡ１１０を備え、送信（ＴＸ）データプロセッサＡ１１０は、トラフィックデータを受け入れ、フォーマット化し、コード化し、インターリーブし、変調（またはシンボルマッピング）して、（データシンボルとして知られている）変調シンボルを提供する。ＴＸデータプロセッサＡ１１０は、シンボル変調器Ａ１２０と通信している。シンボル変調器Ａ１２０は、データシンボルおよびダウンリンクパイロットシンボルを受け入れて処理し、シンボルのストリームを提供する。１つの態様では、シンボル変調器Ａ１２０は、プロセッサＡ１８０と通信しており、プロセッサＡ１８０は、コンフィギュレーション情報を提供する。シンボル変調器Ａ１２０は、送信機ユニット（ＴＭＴＲ）Ａ１３０と通信している。シンボル変調器Ａ１２０は、データシンボルとダウンリンクパイロットシンボルとをマルチプレクスし、これらを送信機ユニットＡ１３０に提供する。
【００１５】
送信されることになるそれぞれのシンボルは、データシンボル、ダウンリンクパイロットシンボル、またはゼロの信号値であってもよい。ダウンリンクパイロットシンボルは、それぞれのシンボル期間中に、連続的に送られることがある。１つの態様では、ダウンリンクパイロットシンボルは、周波数分割多重化（ＦＤＭ）される。別の様態では、ダウンリンクパイロットシンボルは、直交周波数分割多重化（ＯＦＤＭ）される。さらなる別の様態では、ダウンリンクパイロットシンボルは、コード分割多重化（ＣＤＭ）される。１つの態様では、送信機ユニットＡ１３０が、シンボルのストリームを受け取り、このシンボルのストリームを１つ以上のアナログ信号に変換して、アナログ信号をさらに調整、例えば、増幅、フィルタリング、および／または周波数アップコンバートし、ワイヤレス送信に適しているアナログダウンリンク信号を発生させる。その後、アナログダウンリンク信号をアンテナ１４０を通して送信する。
【００１６】
ダウンリンクレグでは、ＵＥ２０１は、アナログダウンリンク信号を受信し、アナログダウンリンク信号を受信機ユニット（ＲＣＶＲ）Ｂ２２０に入力するためのアンテナ２１０を備えている。１つの態様では、受信機ユニットＢ２２０は、アナログダウンリンク信号を調整、例えば、フィルタリング、増幅して、このアナログダウンリンク信号を第１の「調整」信号に周波数ダウンコンバートする。その後、第１の「調整」信号をサンプリングする。受信機ユニットＢ２２０は、シンボル復調器Ｂ２３０と通信している。シンボル復調器Ｂ２３０は、受信機ユニットＢ２２０から出力された、（データシンボルとして知られている）第１の「調整」および「サンプリング」された信号を復調する。シンボル復調器Ｂ２３０は、プロセッサＢ２４０と通信している。プロセッサＢ２４０は、シンボル復調器Ｂ２３０からダウンリンクパイロットシンボルを受け取り、ダウンリンクパイロットシンボル上でチャネル推定を実行する。１つの態様では、チャネル推定は、現在の伝播環境を特徴付けるプロセスである。シンボル復調器Ｂ２３０は、プロセッサＢ２４０から、ダウンリンクレグに対する周波数応答推定値を受け取る。シンボル復調器Ｂ２３０は、データシンボル上でデータ復調を実行して、ダウンリンクパス上のデータシンボル推定値を取得する。ダウンリンクパス上のデータシンボル推定値は、送信されたデータシンボルの推定値である。シンボル復調器Ｂ２３０は、ＲＸデータプロセッサＢ２５０とも通信している。
【００１７】
ＲＸデータプロセッサＢ２５０は、シンボル復調器Ｂ２３０から、ダウンリンクパス上のデータシンボル推定値を受け取り、例えば、ダウンリンクパス上のデータシンボル推定値を復調（すなわち、シンボルデマッピング）、インターリーブ、および／またはデコードして、トラフィックデータを復元させる。１つの態様では、シンボル復調器Ｂ２３０とＲＸデータプロセッサＢ２５０とによる処理は、それぞれ、シンボル変調器Ａ１２０とＴＸデータプロセッサＡ１１０とによる処理と相補的である。
【００１８】
アップリンクレグでは、ＵＥ２０１は、ＴＸデータプロセッサＢ２６０を備えている。ＴＸデータプロセッサＢ２６０は、トラフィックデータを受け入れて処理し、データシンボルを出力する。ＴＸデータプロセッサＢ２６０は、シンボル変調器Ｄ２７０と通信している。シンボル変調器Ｄ２７０は、データシンボルを受け入れて、このデータシンボルをアップリンクパイロットシンボルとマルチプレクスし、変調を実行し、シンボルのストリームを提供する。１つの態様では、シンボル変調器Ｄ２７０は、プロセッサＢ２４０と通信しており、プロセッサＢ２４０は、コンフィギュレーション情報を提供する。シンボル変調器Ｄ２７０は、送信機ユニットＢ２８０と通信している。
【００１９】
送信されることになるそれぞれのシンボルは、データシンボル、アップリンクパイロットシンボル、または、ゼロの信号値であってもよい。アップリンクパイロットシンボルは、それぞれのシンボル期間中に、連続的に送られることがある。１つの態様では、アップリンクパイロットシンボルは、周波数分割多重化（ＦＤＭ）される。別の態様では、アップリンクパイロットシンボルは、直交周波数分割多重化（ＯＦＤＭ）される。さらに別の態様では、アップリンクパイロットシンボルは、コード分割多重化（ＣＤＭ）される。１つの態様では、送信機ユニットＢ２８０が、シンボルのストリームを受け取り、このシンボルのストリームを１つ以上のアナログ信号に変換して、アナログ信号をさらに調整、例えば、増幅、フィルタリング、および／または周波数アップコンバートして、ワイヤレス送信に適しているアナログアップリンク信号を発生させる。その後、アンテナ２１０を通して、アナログアップリンク信号を送信する。
【００２０】
ＵＥ２０１からのアナログアップリンク信号が、アンテナ１４０によって受信され、受信機ユニットＡ１５０によって処理されて、サンプルが取得される。１つの態様では、受信機ユニットＡ１５０は、アナログアップリンク信号を調整、例えば、フィルタリング、増幅し、このアナログアップリンク信号を第２の「調整」信号に周波数ダウンコンバートする。その後、第２の「調整」信号をサンプリングする。受信機ユニットＡ１５０は、シンボル復調器Ｃ１６０と通信している。シンボル復調器Ｃ１６０は、データシンボル上のデータ復調を実行して、アップリンクパス上のデータシンボル推定値を取得し、その後、アップリンクパス上のアップリンクパイロットシンボルとデータシンボル推定値とを、ＲＸデータプロセッサＡ１７０に提供する。アップリンクパス上のデータシンボル推定値は、送信されたデータシンボルの推定値である。ＲＸデータプロセッサＡ１７０は、アップリンクパス上のデータシンボル推定値を処理して、ワイヤレス通信デバイス２０１によって送信されたトラフィックデータを復元させる。シンボル復調器Ｃ１６０は、プロセッサＡ１８０とも通信している。プロセッサＡ１８０は、アップリンクレグ上で送信しているそれぞれのアクティブ端末に対してチャネル推定を実行する。１つの態様では、複数の端末は、端末のそれぞれ割り当てられた組のパイロットサブバンド上のアップリンクレグ上でパイロットシンボルを同時に送信してもよく、ここで、パイロットサブバンドの組がインターレースされていてもよい。
【００２１】
プロセッサＡ１８０およびプロセッサＢ２４０は、それぞれ、（基地局として知られている）アクセスノード１０１とＵＥ２０１とにおける動作を命令（すなわち、制御、調整、または管理等）する。１つの態様では、プロセッサＡ１８０およびプロセッサＢ２４０の両方、あるいは、これらのいずれかは、プログラムコードおよび／またはデータを記憶させるために、（示していない）１つ以上のメモリユニットに関係している。１つの態様では、プロセッサＡ１８０またはプロセッサＢ２４０のいずれか、または、これらの両方は、それぞれ、アップリンクレグおよびダウンリンクレグに対する、周波数推定値と、インパルス応答推定値と導出するために計算を実行する。
【００２２】
１つの態様では、アクセスノード／ＵＥシステム１００は、多元接続システムである。多元接続システム（例えば、ＦＤＭＡ、ＯＦＤＭＡ、ＣＤＭＡ、ＴＤＭＡ、ＳＤＭＡ、等）の場合には、複数の端末が、アップリンクレグ上で同時に送信する。１つの態様では、多元接続システムの場合には、パイロットサブバンドが、異なる端末間で共有されることもある。それぞれの端末に対するパイロットサブバンドが、（おそらくは、帯域端を除く）動作帯域全体にわたるケースでは、チャネル推定技術を使用する。このようなパイロットサブバンド構造は、それぞれの端末に対する周波数ダイバシティを取得するために好ましい。
【００２３】
図２は、アクセスノードＡ1、Ａ2、Ａ3、Ａ4を有している１つのカバレッジエリアＡ内にあり、アクセスノードＢ1およびＢ2を有している別のカバレッジエリアＢの端に近づいているＵＥ２０１の例を示している。図２に示したように、ＵＥ２０１は、カバレッジエリアＡ内のソースセル内に位置付けられており、カバレッジエリアＢ内のターゲットセルに近づいている。カバレッジエリアＡが、無線アクセス技術Ａを用いている一方で、カバレッジエリアＢは、無線アクセス技術Ｂを用いている。ワイヤレスシステムＡは、カバレッジエリアＡに関係しており、ワイヤレスシステムＢはカバレッジエリアＢに関係している。１つの態様では、ＵＥ２０１がターゲットセルに近づくと、（ターゲットセル信号の品質として知られている）ターゲットセルからの信号品質が、(ソースセル信号の品質として知られている)ソースセルからの信号品質よりも高いか否かを決定するために比較を行う。ターゲットセルからの信号品質がより高い場合には、ソースセルからターゲットセルへの移行が行われる。すなわち、ソースセルからターゲットセルへの無線アクセス技術間（ＩＲＡＴ）移行がトリガされる。１つの態様では、移行が行われるより前の連続的なＸ時間間隔にわたって、ターゲットセルからの信号品質は、ソースセルからの信号品質よりも高くなければならない。
【００２４】
ワイヤレスシステムＡとワイヤレスシステムＢとの間の、ＵＥ２０１のワイヤレスアクセス接続の移行は、完了するために、有限な時間の量が必要である。例えば、カバレッジエリアＡ（例えば、２Ｇワイヤレスシステムによって、２Ｇ無線アクセス技術を用いている２Ｇカバレッジエリア）内のソースセル中でＵＥ２０１が開始し、カバレッジエリアＢ内のターゲットセル（例えば、３Ｇワイヤレスシステムによって３Ｇ無線アクセス技術を用いている３Ｇカバレッジエリア）に向かって移動している場合、ＵＥ２０１は、ワイヤレスシステムＢ（例えば、３Ｇワイヤレスシステム）に対して再選択し、カバレッジエリアＢ内のアクセスノードからシステム情報を収集することを開始する。このプロセスは、いくつかのシステムに対しては、しばらくの間、例えば、３〜５秒のような数秒にわたって完了しないことがある。その間、ワイヤレスシステムＡ（例えば、２Ｇワイヤレスシステム）が、カバレッジエリアＡ（例えば、２Ｇカバレッジエリア）内のソースセル内のアクセスノードＡ1を通して、ページをＵＥ２０１に送っていることがある。ワイヤレスシステムＢ（例えば、３Ｇワイヤレスシステム）中でＵＥ２０１がシステム情報を収集している場合、ＵＥ２０１は、ワイヤレスシステムＡ（例えば、２Ｇワイヤレスシステム）に送られる到来ページを監視しない。これにより、結果的に、ＵＥユーザに対して、不成功に終わったページと悪い経験とをもたらす。必要不可欠なシステム情報すべてをターゲットセルから収集することをＵＥ２０１が完了するまで、かつ、ターゲットセルと、その関係する無線アクセス技術（ＲＡＴ）とにおけるモビリティ情報の更新をＵＥ２０１が実行するまで、ＵＥ２０１は、カバレッジエリアＢ内のターゲットセル中のページングチャネルの監視を開始しない。１つの態様では、ページングサイクルは、１．２８秒または２．５６秒のいずれかである。すなわち、１．２８秒または２．５６秒のいずれかの、このページングサイクルの間に、ページは、ＵＥ２０１によって見落とされるということである。ＵＭＴＳ、ＷＣＤＭＡ、ＧＳＭ、ＧＳＭ／ＧＰＲＳ／ＥＤＧＥ、ＬＴＥ、ＩＳ−９５、ＣＤＭＡ２０００、ＥＶＤＯ、またはＵＭＢ等を含むが、これらに限定されない、他のワイヤレスシステムによって用いられる無線アクセス技術の他の例により、本開示の範囲および精神は影響を受けないことを、当業者は理解するだろう。
【００２５】
図３は、ワイヤレスシステム間の移行の間に、移動体終端の通話セットアップの性能を向上させるための例示的なフロー図を示しており、例示的なフロー図は、別のワイヤレスシステムに移行している間の、１つのワイヤレスシステム上でのページングチャネルの監視を含む。図３中に示した例示的なフロー図は、移行の間にページング機会を逃がすことを、減少させる、または、防ぐだろう。ブロック３１０において、無線アクセス技術間（ＩＲＡＴ）の移行をトリガする。ＵＥ２０１は、（図２中に示した）ソースセルから（図２中に示した）ターゲットセル内に向けて移動している。この例では、ソースセルは、無線アクセス技術Ａを用いているワイヤレスシステムＡのカバレッジエリアＡの一部である。ターゲットセルは、無線アクセス技術Ｂを用いているワイヤレスシステムＢのカバレッジエリアＢの一部である。セルの再選択（ＣＲ）の間に、すなわち、無線アクセス技術Ａを用いているソースセルから、無線アクセス技術Ｂを用いているターゲットセルに向けて移動している間に、無線アクセス技術間（ＩＲＡＴ）の移行が、トリガされる。ＩＲＡＴの移行の間に、ブロック３２０において、ソースセル中でのページング機会の決定論的なタイミングを記憶する。ソースセル中でのページング機会の決定論的なタイミングを記憶することにより、ソースセル中でのＵＥ２０１のページング機会の周期性を考慮することによって、ＵＥは、ＩＲＡＴ再選択の間の、ソースセル中でのページング機会の監視を促進する。
【００２６】
ブロック３３０において、ターゲットセル内の動作の成功を可能にするために、ターゲットセルにおける必要不可欠なシステム情報を収集する。必要不可欠なシステム情報であると考えられるものは、システム、アプリケーション、オペレータの選択、設計制約、またはこれらを組み合わせたものに基づいていてもよいことを、当業者は理解するだろう。ブロック３４０では、ソースセル中でのＵＥ２０１のページング機会のタイミングを追跡（すなわち、ソースセル中のページングインジケータに対してチェック）し続ける。ソースセルに依然として送られている、ＵＥ２０１に対するページを見落とすのを減少または防ぐために、ソースセル中でのＵＥ２０１のページング機会の時間において、ＵＥ２０１が、ソースセルを再捕捉し、ソースセル中のＵＥ２０１に対する少なくとも１つのページングチャネル内のページの存在についてチェックする。１つの態様では、ブロック３３０および３４０における動作は、同時に動作している。別の態様では、ソースセル中でのページの存在についてのチェックは、ターゲットセル中でのシステム情報の収集に関して優先権を持っている。ソースセル中のＵＥ２０１に対するページが存在しない場合、ブロックに進む。
【００２７】
ブロック３５０において、ターゲットセルにおける必要不可欠なシステム情報がすべて収集されているか否かを決定する。ターゲットセルにおける必要不可欠なシステム情報がすべて収集されていなかった場合、ブロック３３０に戻って、システム情報の収集を続ける。必要不可欠なシステム情報は、システム、アプリケーション、オペレータ選択、設計制約、またはこれらを組み合わせたものに基づいて決定され得るパラメータであることを、当業者は理解するだろう。必要不可欠なシステム情報がすべて収集されている場合に、ブロック３６０に進み、ターゲットセルにおけるモビリティ情報の更新を実行する。モビリティ情報の更新は、例えば、ＧＳＭ、ＧＰＲＳ、ＵＭＴＳ、またはＬＴＥでのロケーションエリアの更新；ＧＰＲＳ、ＵＭＴＳ、またはＬＴＥでのルーティングエリアの更新；ＵＭＴＳでのＵＴＲＡＮルーティングエリア；または、ＬＴＥでの追跡エリア、のうちの少なくとも１つ以上を含むことができる。ブロック３６０の後に、ブロック３７０に進み、ターゲットセル中のページングチャネルの監視を開始する。１つの態様では、ターゲットセル中には複数のページングチャネルが存在する。
【００２８】
ブロック３４０において、ソースセル中のＵＥ２１０に対するページの可能性を示している、ＵＥ２１０に対する少なくとも１つのページングインジケータが存在する場合、ブロック３８０に進み、ソースセル中のページについてチェックする。ブロック３９０において、ページが存在するか否かを決定する。１つの態様では、ブロック３８０および３９０における動作が１つに組み合わされる。別の態様では、ブロック３４０、３８０、および３９０における動作が１つに組み合わされる。ページが存在しない場合、ブロック３５０に進む。ページが存在する場合、３つのオプションのうちの１つを実行してもよい。ブロック３９１に示した第１のオプションでは、ソースセル中のページに答える。ブロック３９２に示した第２のオプションでは、ソースセルの品質がしきい値よりも上か否かを決定する。ソースセルの品質がしきい値よりも上である場合、ブロック３９１に進み、ページに答える。ソースセルの品質がしきい値よりも高くない場合、ブロック３９３において開始する第３のオプションに進む。ブロック３９３において、必要不可欠なシステム情報がすべて収集されている場合に、例えば、ＧＳＭ、ＧＰＲＳ、ＵＭＴＳ、またはＬＴＥでのロケーションエリアの更新；ＧＰＲＳ、ＵＭＴＳ、またはＬＴＥでのルーティングエリアの更新；ＵＭＴＳでのＵＴＲＡＮルーティングエリア；または、ＬＴＥでの追跡エリア、のうちの少なくとも１つ以上を含むことができる、ターゲットセルにおけるモビリティ情報の更新を実行する。ブロック３９３の後に、ブロック３９４に進み、ターゲットセル中のページに答える。ここで提示した３つのオプションが例示であること、本開示の精神および範囲に影響を及ばさずに、他のオプションを追加してもよいこと、または、３つのオプションの内の任意のものを除外してもよいことを、当業者は認識するだろう。１つの態様では、しきい値の例は、受信信号レベル、受信信号対ノイズ比、受信干渉電力、総受信電力、パス損失、ビットエラーレート、フレームエラーレート、またはパケット損失レート等である。本開示の範囲および精神に影響を及ばさずに、システム、アプリケーション、オペレータの選択、設計制約、または、これらを組み合わせたものに基づいて、しきい値パラメータおよび値を選ぶことができることを、当業者は理解するだろう。これに加えて、ＵＭＴＳ、ＷＣＤＭＡ、ＧＳＭ、ＧＳＭ／ＧＰＲＳ／ＥＤＧＥ、ＬＴＥ、ＩＳ−９５、ＣＤＭＡ２０００、ＥＶＤＯ、またはＵＭＢ等を含むが、これらに限定されない、さまざまなワイヤレスシステムによって用いられる無線アクセスセス技術の多くの例は、本開示の範囲および精神に影響を及ばさずに、図３中に示した例に適用可能であることを、当業者は理解するだろう。
【００２９】
ここで記述した、フロー図、論理ブロック、および／またはモジュールは、例えば、ハードウェアで、ファームウェアで、ソフトウェアで、またはこれらの組み合わせでといった、さまざまな方法によって実現してもよいことを、当業者は理解するだろう。例えば、ハードウェアインプリメンテーションに対して、処理ユニットは、１つ以上の特定用途向け集積回路（ＡＳＩＣ）、デジタル信号プロセッサ（ＤＳＰ）、デジタル信号処理デバイス（ＤＳＰＤ）、プログラマブルロジックデバイス（ＰＬＤ）、フィールドプログラマブルゲートアレイ（ＦＰＧＡ）、プロセッサ、制御装置、マイクロ制御装置、マイクロプロセッサ、電子デバイス、ここで記述した機能を実行するように設計されている他の電子ユニット、またはこれらを組み合わせたもの内で実現してもよい。ソフトウェアでは、インプリメンテーションは、ここで記述した機能を実行するモジュール（例えば、手順、関数等）を通したものであってもよい。ソフトウェアコードは、メモリユニット中に記憶され、プロセッサユニットによって実行されてもよい。これに加えて、ここで記述した、さまざまな例示的なフロー図、論理ブロック、および／またはモジュールは、技術的に知られている、任意のコンピュータ読み取り可能媒体またはコンピュータプログラムプロダクト上で実行されるコンピュータ読み取り可能な命令としてコード化されていてもよい。
【００３０】
１つの例では、ここで記述した、例示的なフロー図、論理ブロック、および／または、モジュールは、１つ以上のプロセッサにより実現または実行される。１つの態様では、プロセッサは、メモリと結合されている。メモリは、ここで記述した、さまざまなフロー図、論理ブロック、および／またはモジュールを実現または実行するプロセッサによって実行されるように、データ、メタデータ、プログラム命令等を記憶する。図４は、デバイス４００の例を示しており、デバイス４００は、ワイヤレスシステム間での移行の間の、移動体終端の通話セットアップの性能を向上させるためのプロセスを実行するためにメモリ４２０と通信しているプロセッサ４１０を具備している。１つの例では、デバイス４００を使用して、図３中で図示したアルゴリズムを実現する。１つの態様では、メモリ４２０は、プロセッサ４１０内に位置付けられている。別の態様では、メモリ４２０は、プロセッサ４１０の外部にある。
【００３１】
図５は、ワイヤレスシステム間での移行の間の、移動体終端の通話セットアップの性能を向上させるのに適したデバイス５００の例を示している。１つの態様では、デバイス５００は、少なくとも１つのプロセッサによって実現され、少なくとも１つのプロセッサは、ブロック５１０、５２０、５３０、５４０、５５０、５６０、５７０、５８０、５９０、５９１、５９２、５９３、および５９４中でここで記述したように、ワイヤレスシステム間の移行の間の、通話セットアップの性能を向上させる異なる態様を提供するように構成されている１つ以上のモジュールを備えている。例えば、それぞれのモジュールは、ハードウェア、ファームウェア、ソフトウェア、またはこれらの任意のものを組み合わせたものを含む。１つの態様では、デバイス５００は、少なくとも１つのプロセッサと通信している、少なくとも１つのメモリによっても実現される。
【００３２】
開示した態様の先の記述は、本開示を当業者が作り、または、使用できるように提供されている。これらの態様に対するさまざまな改良は、当業者に容易に明らかになり、ここで規定した一般的な原理は、本開示の精神または範囲から逸脱することなく他の態様に適用してもよい。
以下に、本願出願の当初の特許請求の範囲に記載された発明を付記する。
［１］移動体終端の通話セットアップの性能を向上させるための方法において、
ソースセルからターゲットセルへの無線アクセス技術間（ＩＲＡＴ）の移行をトリガすることと、
前記ソースセル中での複数のページング機会の決定論的なタイミングを記憶することと、
前記ターゲットセルへの移行の間に、かつ、前記ターゲットセル中の少なくとも１つのページングチャネルの監視を開始する前に、前記決定論的なタイミングを使用して、前記ソースセル中の少なくとも１つのページングチャネルをチェックすることとを含む方法。
［２］無線アクセス技術間の移行の成功を可能にするために、前記ターゲットセルの必要不可欠なシステム情報を収集することをさらに含む［１］記載の方法。
［３］前記ターゲットセルの前記必要不可欠なシステム情報がすべて収集されているか否かを決定することをさらに含む［２］記載の方法。
［４］前記ターゲットセルの前記必要不可欠なシステム情報がすべて収集されている場合に、ＧＳＭ、ＧＰＲＳ、ＵＭＴＳ、またはＬＴＥでのロケーションエリアの更新；ＧＰＲＳ、ＵＭＴＳ、またはＬＴＥでのルーティングエリアの更新；ＵＭＴＳでのＵＴＲＡＮルーティングエリア；または、ＬＴＥでの追跡エリア、のうちの１つ以上を含む、前記ターゲットセルにおけるモビリティ情報の更新を実行することをさらに含む［３］記載の方法。
［５］前記ターゲットセル中の前記少なくとも１つのページングチャネルの監視を開始することをさらに含む［４］記載の方法。
［６］前記複数のページング機会のうちの少なくとも１つが存在する場合に、前記ソースセル中のページについてチェックすることをさらに含む［１］記載の方法。
［７］前記ソースセル中の前記ページに答えることをさらに含む［６］記載の方法。
［８］前記ソースセルの品質がしきい値よりも上であるか否かを決定することをさらに含む［６］記載の方法。
［９］前記ソースセルの品質が前記しきい値よりも上である場合に、前記ソースセル中の前記ページに答えることをさらに含む［８］記載の方法。
［１０］前記ソースセルの品質が前記しきい値よりも上でない場合に、前記ターゲットセルにおけるモビリティ情報の更新を実行することをさらに含む［８］記載の方法。
［１１］前記ターゲットセル中の前記ページに答えることをさらに含む［１０］記載の方法。
［１２］前記しきい値は、受信信号レベル、受信信号対ノイズ比、受信干渉電力、総受信電力、パス損失、ビットエラーレート、フレームエラーレート、またはパケット損失レート、のうちの１つの値である［８］記載の方法。
［１３］ターゲットセル信号の品質を、ソースセル信号の品質と比較して、前記無線アクセス技術間（ＩＲＡＴ）の移行をトリガすることを決定することをさらに含む［１］記載の方法。
［１４］前記ターゲットセル信号の品質が、前記ソースセル信号の品質よりも高い［１３］記載の方法。
［１５］前記ターゲットセル信号の品質が、少なくとも５秒の連続的な時間間隔にわたって、前記ソースセルの信号品質よりも高い［１４］記載の方法。
［１６］前記ソースセルは、２Ｇカバレッジエリア内にあり、前記ターゲットセルは、３Ｇカバレッジエリア内にある［１］記載の方法。
［１７］プロセッサとメモリとを具備するユーザ機器において、
前記メモリは、
ソースセルからターゲットセルへの無線アクセス技術間（ＩＲＡＴ）の移行をトリガすることと、
前記ソースセル中での複数のページング機会の決定論的なタイミングを記憶することと、
前記ターゲットセルへの移行の間に、かつ、前記ターゲットセル中の少なくとも１つのページングチャネルの監視を開始する前に、前記決定論的なタイミングを使用して、前記ソースセル中の少なくとも１つのページングチャネルをチェックすることとを実行する前記プロセッサによって実行可能なプログラムコードを含むユーザ機器。
［１８］前記メモリは、無線アクセス技術間の移行の成功を可能にするために、前記ターゲットセルの必要不可欠なシステム情報を収集するためのプログラムコードをさらに含む［１７］記載のユーザ機器。
［１９］前記メモリは、前記ターゲットセルの前記必要不可欠なシステム情報がすべて収集されているか否かを決定するためのプログラムコードをさらに含む［１８］記載のユーザ機器。
［２０］前記メモリは、前記ターゲットセルの前記必要不可欠なシステム情報がすべて収集されている場合に、ＧＳＭ、ＧＰＲＳ、ＵＭＴＳ、またはＬＴＥでのロケーションエリアの更新；ＧＰＲＳ、ＵＭＴＳ、またはＬＴＥでのルーティングエリアの更新；ＵＭＴＳでのＵＴＲＡＮルーティングエリア；または、ＬＴＥでの追跡エリア、のうちの１つ以上を含む、前記ターゲットにおけるモビリティ情報の更新を実行するためのプログラムコードをさらに含む［１９］記載のユーザ機器。
［２１］前記メモリは、前記ターゲットセル中の前記少なくとも１つのページングチャネルの監視を開始するためのプログラムコードをさらに含む［２０］記載のユーザ機器。
［２２］前記メモリは、前記複数のページング機会のうちの少なくとも１つが存在する場合に、前記ソースセル中のページについてチェックするためのプログラムコードをさらに含む［１７］記載のユーザ機器。
［２３］前記メモリは、前記ソースセル中の前記ページに答えるためのプログラムコードをさらに含む［２２］記載のユーザ機器。
［２４］前記メモリは、前記ソースセルの品質がしきい値よりも上であるか否かを決定するためのプログラムコードをさらに含む［２２］記載のユーザ機器。
［２５］前記メモリは、前記ソースセルの品質が前記しきい値よりも上である場合に、前記ソースセル中の前記ページに答えるためのプログラムコードさらに含む［２４］記載のユーザ機器。
［２６］前記メモリは、前記ソースセルの品質が前記しきい値よりも上でない場合に、前記ターゲットセルにおけるモビリティ情報の更新を実行するためのプログラムコードをさらに含む［２４］記載のユーザ機器。
［２７］前記メモリは、前記ターゲットセル中の前記ページに答えるためのプログラムコードをさらに含む［２６］記載のユーザ機器。
［２８］前記しきい値は、受信信号レベル、受信信号対ノイズ比、受信干渉電力、総受信電力、パス損失、ビットエラーレート、フレームエラーレート、またはパケット損失レート、のうちの１つの値である［２４］記載のユーザ機器。
［２９］前記メモリは、ターゲットセル信号の品質を、ソースセル信号の品質と比較して、前記無線アクセス技術間（ＩＲＡＴ）の移行をトリガすることを決定するためのプログラムコードをさらに含む［１７］記載のユーザ機器。
［３０］前記ソースセルは、２Ｇカバレッジエリア内にあり、前記ターゲットセルは、３Ｇカバレッジエリア内にある［１７］記載のユーザ機器。
［３１］前記ソースセルは、ＧＳＭカバレッジエリア内にあり、前記ターゲットセルは、ＬＴＥカバレッジエリア内にある［１７］記載のユーザ機器。
［３２］前記ソースセルは、ＧＳＭ／ＧＰＲＳ／ＥＤＧＥカバレッジエリア内にあり、前記ターゲットセルは、ＵＭＴＳカバレッジエリア内にある［１７］記載のユーザ機器。
［３３］移動体終端の通話セットアップの性能を向上させるワイヤレスデバイスにおいて、
ソースセルからターゲットセルへの無線アクセス技術間（ＩＲＡＴ）の移行をトリガする手段と、
前記ソースセル中での複数のページング機会の決定論的なタイミングを記憶する手段と、
前記ターゲットセルへの移行の間に、かつ、前記ターゲットセル中の少なくとも１つのページングチャネルの監視を開始する前に、前記決定論的なタイミングを使用して、前記ソースセル中の少なくとも１つのページングチャネルをチェックする手段とを具備するワイヤレスデバイス。
［３４］無線アクセス技術間の移行の成功を可能にするために、前記ターゲットセルの必要不可欠なシステム情報を収集する手段をさらに具備する［３３］記載のワイヤレスデバイス。
［３５］前記ターゲットセルの前記必要不可欠なシステム情報がすべて収集されているか否かを決定する手段をさらに具備する［３４］記載のワイヤレスデバイス。
［３６］前記ターゲットセルの前記必要不可欠なシステム情報がすべて収集されている場合に、ＧＳＭ、ＧＰＲＳ、ＵＭＴＳ、またはＬＴＥでのロケーションエリアの更新；ＧＰＲＳ、ＵＭＴＳ、またはＬＴＥでのルーティングエリアの更新；ＵＭＴＳでのＵＴＲＡＮルーティングエリア；または、ＬＴＥでの追跡エリア、のうちの１つ以上を含む、前記ターゲットセルにおけるモビリティ情報の更新を実行する手段をさらに具備する［３５］記載のワイヤレスデバイス。
［３７］前記ターゲットセル中の前記少なくとも１つのページングチャネルの監視を開始する手段をさらに具備する［３６］記載のワイヤレスデバイス。
［３８］前記複数のページング機会のうちの少なくとも１つが存在する場合に、前記ソースセル中のページについてチェックする手段をさらに具備する［３３］記載のワイヤレスデバイス。
［３９］前記ソースセル中の前記ページに答える手段をさらに具備する［３８］記載のワイヤレスデバイス。
［４０］前記ソースセルの品質がしきい値よりも上であるか否かを決定する手段をさらに具備する［３８］記載のワイヤレスデバイス。
［４１］前記ソースセルの品質が前記しきい値よりも上である場合に、前記ソースセル中の前記ページに答える手段をさらに具備する［４０］記載のワイヤレスデバイス。
［４２］前記ソースセルの品質が前記しきい値よりも上でない場合に、前記ターゲットセルにおけるモビリティ情報の更新を実行する手段をさらに具備する［４０］記載のワイヤレスデバイス。
［４３］前記ターゲットセル中の前記ページに答える手段をさらに具備する［４２］記載のワイヤレスデバイス。
［４４］前記しきい値は、受信信号レベル、受信信号対ノイズ比、受信干渉電力、総受信電力、パス損失、ビットエラーレート、フレームエラーレート、またはパケット損失レート、のうちの１つの値である［４０］記載のワイヤレスデバイス。
［４５］ターゲットセル信号の品質を、ソースセル信号の品質と比較して、前記無線アクセス技術間（ＩＲＡＴ）の移行をトリガすることを決定する手段をさらに具備する［３３］記載のワイヤレスデバイス。
［４６］前記ソースセルは、２Ｇカバレッジエリア内にあり、前記ターゲットセルは、３Ｇカバレッジエリア内にある［３３］記載のワイヤレスデバイス。
［４７］前記ソースセルは、ＧＳＭカバレッジエリア内にあり、前記ターゲットセルは、ＬＴＥカバレッジエリア内にある［３３］記載のワイヤレスデバイス。
［４８］前記ソースセルは、ＧＳＭ／ＧＰＲＳ／ＥＤＧＥカバレッジエリア内にあり、前記ターゲットセルは、ＵＭＴＳカバレッジエリア内にある［３３］記載のワイヤレスデバイス。
［４９］コンピュータ読み取り可能媒体を具備するコンピュータプログラムプロダクトにおいて、
前記コンピュータ読み取り可能媒体は、そこに記憶されているプログラムコードを含み、
前記プログラムコードは、
ソースセルからターゲットセルへの無線アクセス技術間（ＩＲＡＴ）の移行をトリガするようにコンピュータに実行させるためのプログラムコードと、
前記ソースセル中での複数のページング機会の決定論的なタイミングを記憶するように前記コンピュータに実行させるためのプログラムコードと、
前記ターゲットセルへの移行の間に、かつ、前記ターゲットセル中の少なくとも１つのページングチャネルの監視を開始する前に、前記決定論的なタイミングを使用して、前記ソースセル中の少なくとも１つのページングチャネルをチェックするように前記コンピュータに実行させるためのプログラムコードとを含むコンピュータプログラムプロダクト。
［５０］無線アクセス技術間の移行の成功を可能にするために、前記ターゲットセルの必要不可欠なシステム情報を収集するように前記コンピュータに実行させるためのプログラムコードをさらに含む［４９］記載のコンピュータプログラムプロダクト。
［５１］前記ターゲットセルの前記必要不可欠なシステム情報がすべて収集されているか否かを決定するように前記コンピュータに実行させるためのプログラムコードをさらに含む［５０］記載のコンピュータプログラムプロダクト。
［５２］前記ターゲットセルの前記必要不可欠なシステム情報がすべて収集されている場合に、ＧＳＭ、ＧＰＲＳ、ＵＭＴＳ、またはＬＴＥでのロケーションエリアの更新；ＧＰＲＳ、ＵＭＴＳ、またはＬＴＥでのルーティングエリアの更新；ＵＭＴＳでのＵＴＲＡＮルーティングエリア；または、ＬＴＥでの追跡エリア、のうちの１つ以上を含む、前記ターゲットセルにおけるモビリティ情報の更新を行うように前記コンピュータに実行させるためのプログラムコードをさらに含む［５１］記載のコンピュータプログラムプロダクト。
［５３］前記ターゲットセル中の前記少なくとも１つのページングチャネルの監視を開始するように前記コンピュータに実行させるためのプログラムコードをさらに含む［５２］記載のコンピュータプログラムプロダクト。
［５４］前記複数のページング機会のうちの少なくとも１つが存在する場合に、前記ソースセル中のページについてチェックするように前記コンピュータに実行させるためのプログラムコードをさらに含む［４９］記載のコンピュータプログラムプロダクト。
［５５］前記ソースセル中の前記ページに答えるように前記コンピュータに実行させるためのプログラムコードをさらに含む［５４］記載のコンピュータプログラムプロダクト。
［５６］前記ソースセルの品質がしきい値よりも上であるか否かを決定するように前記コンピュータに実行させるためのプログラムコードをさらに含む［５４］記載のコンピュータログラムプロダクト。
［５７］前記ソースセルの品質が前記しきい値よりも上である場合に、前記ソースセル中の前記ページに答えるように前記コンピュータに実行させるためのプログラムコードさらに含む［５６］記載のコンピュータプログラムプロダクト。
［５８］前記ソースセルの品質が前記しきい値よりも上でない場合に、前記ターゲットセルにおけるモビリティ情報の更新を行うように前記コンピュータに実行させるためのプログラムコードをさらに含む［５６］記載のコンピュータプログラムプロダクト。
［５９］前記ターゲットセル中の前記ページに答えるように前記コンピュータに実行させるためのプログラムコードをさらに含む［５８］記載のコンピュータプログラムプロダクト。
［６０］ターゲットセル信号の品質を、ソースセル信号の品質と比較して、前記無線アクセス技術間（ＩＲＡＴ）の移行をトリガすることを決定するように前記コンピュータに実行させるためのプログラムコードをさらに含む［４９］記載のコンピュータプログラムプロダクト。
【図１】
0005254460.tif 000002
【図２】
0005254460.tif 000003
【図３】
0005254460.tif 000004
【図４】
0005254460.tif 000005
【図５】
0005254460.tif 000006